(57)【要約】【課題】元データを含む変更データ等を容易に確認でき、迅速に最適な運行制御用データを確保することにある。【解決手段】エレベータの運行制御に使用する元データを記憶する運行制御データ記憶部１２ａ及び履歴データ記憶部１２ｂを有するデータ記憶装置１２と、データ変更時、入力操作部１１と、この入力操作部１１からアドレス指定のもとにデータ変更制御データを受けると、データ記憶部１２ａの当該アドレスから元データを読出し、アドレスデータとともに履歴データ記憶部１２ｂに蓄積する蓄積手段１３１と、データ蓄積後、入力操作部１１からの変更データをデータ記憶部１２ａの該当アドレスの元データに上書き処理する手段１３２と、上書き処理した変更データをアドレスデータとともに履歴データ記憶部１２ｂに蓄積する第２の蓄積手段１３３とを設けたエレベータ制御装置である。【選択図】図１
2007022690.tif 000002
【特許請求の範囲】
【請求項１】
エレベータの運行制御に使用するデータを記憶し、任意の時期に既に記憶されている前記運行制御に関係するデータを最適な運転動作状態となるデータに変更するエレベータ制御装置において、
前記運行制御に使用する元データを記憶する運行制御データ記憶部及び履歴データ記憶部を有するデータ記憶装置と、
データ変更時、データ変更に関係するデータを入力する入力操作手段と、
この入力操作手段からアドレス指定のもとにデータ変更制御データを受けると、前記運行制御データ記憶部の当該アドレスから前記元データを読出し、アドレスデータとともに当該元データを前記履歴データ記憶部に蓄積する第1の蓄積手段と、
この手段によってデータを蓄積した後、前記入力操作手段から入力される変更データを前記運行制御データ記憶部の該当アドレスに対応する前記元データに上書き処理する手段と、
この手段による上書き処理した変更データをアドレスデータとともに履歴データ記憶部に蓄積する第２の蓄積手段とを備えたことを特徴とするエレベータ制御装置。
【請求項２】
請求項１に記載のエレベータ制御装置において、
随時日時データを取得可能とした日時管理手段を設け、
前記第２の蓄積手段は、前記日時管理手段によって取得される日時データとともに、前記上書き処理した変更データ及び前記アドレスデータを前記履歴データ記憶部に蓄積することを特徴とするエレベータ制御装置。
【請求項３】
請求項１または請求項２に記載のエレベータ制御装置において、
少なくとも前記運行制御データ記憶部に上書きされた変更データを用いてエレベータの運転動作を行ったときに動作異常を確認した場合、前記履歴データ記憶部に蓄積されるデータ変更処理に関係する全データをデータ表示部に表示する表示制御手段を設けたことを特徴とするエレベータ制御装置。
【請求項４】
請求項３に記載のエレベータ制御装置において、
少なくとも前記運行制御データ記憶部に上書きされた変更データを用いてエレベータの運転動作を行ったときに動作異常を確認した場合、入力操作手段の修正指示に従い、前記運行制御データ記憶部に上書きされた変更データを前記前記履歴データ記憶部に蓄積される元データに戻すことを特徴とするエレベータ制御装置。
【発明の詳細な説明】
【技術分野】
【０００１】
本発明は、エレベータの運行制御に関係する各種データを最適な運転動作状態となるように調整し記憶する記憶装置を備えたエレベータ制御装置に関する。
【背景技術】
【０００２】
エレベータ制御装置には、エレベータの乗りかごの最適な運行制御を実現する観点から、加速走行、定速走行及び減速走行等の速度パターンデータの他、減速開始パラメータや乗りかごを正確にフロアレベルに着床させるための着床パラメータ等の各種データを記憶する記憶装置が設けられている。また、エレベータ制御装置は、乗りかごの停止階とエレベータ利用者によって指定される目的階との関係によって走行距離が随時変化するのに対応すべく、各走行距離と走行時間との関係に基づいて各種の速度パターンの中から最適な速度パターンを選択し、最適な運行制御を行う。しかし、エレベータの稼動期間の経過に伴い、各種の構成部材が摩耗や損傷を生じる。そのため、定期的に各種のパラメータを調整し書換えながら、常に最適な運行制御を補償する必要がある。
【０００３】
そこで従来は、定期点検時に作業員が携帯型コンソール機器を所持し、エレベータ制御装置と無線または有線により接続し、コンソール機器からアドレスを指定して記憶装置の該当アドレスに格納される旧パラメータを新パラメータで上書きし、最適な運転状態となるように調整作業を行っている。各種の速度パターンデータについても同様に運転状態の調整作業を行っている。（以下、速度パターン及びパラメータを含めて単にデータと呼ぶ。）
【発明の開示】
【発明が解決しようとする課題】
【０００４】
以上のようなエレベータ制御装置では、エレベータの運転制御に関する各種のデータを書換え変更しながら運転状態を調整するが、元データに新データを上書き処理することから、元データが消去されてしまう。その結果、元データを参照して新データを調整することができない。そのため、入力データが誤っていた場合、参照すべき元データが消去されているため試行錯誤による運転調整作業を繰り返す必要があり、調整作業が非常に煩雑となり、最適な運行制御が困難となってしまう。
【０００５】
また、エレベータ制御装置の中には、携帯型コンソール機器を使用できない機種も多いが、これら機種のエレベータ制御装置でも、データ変更時に旧データに新データを上書き処理することから、同様に旧データが消去されてしまう。
【０００６】
本発明は以上のような事情に鑑みてなされたもので、新データへの変更後でも元データを容易に確認可能とし、エレベータの最適な運転動作状態を実現するための運行制御用データを迅速に確保することができるエレベータ制御装置を提供することを目的とする。
【課題を解決するための手段】
【０００７】
（１）  上記課題を解決するために、本発明は、エレベータの運行制御に使用するデータを記憶し、任意の時期に既に記憶されている前記運行制御に関係するデータを最適な運転動作状態となるデータに変更するエレベータ制御装置であって、
前記運行制御に使用する元データを記憶する運行制御データ記憶部及び履歴データ記憶部を有するデータ記憶装置と、データ変更時、データ変更に関係するデータを入力する入力操作手段と、この入力操作手段からアドレス指定のもとにデータ変更制御データを受けると、前記運行制御データ記憶部の当該アドレスから前記元データを読出し、アドレスデータとともに当該元データを前記履歴データ記憶部に蓄積する第1の蓄積手段と、この手段によってデータを蓄積した後、前記入力操作手段から入力される変更データを前記運行制御データ記憶部の該当アドレスに対応する前記元データに上書き処理する手段と、この手段による上書き処理した変更データをアドレスデータとともに履歴データ記憶部に蓄積する第２の蓄積手段とを備えた構成である。
【０００８】
この発明は以上のような構成とすることにより、履歴データ記憶部に変更時のアドレスデータ、元データ及び変更データが蓄積されているので、何らかの理由によってデータ確認が必要になった場合、データ変更処理に関係したデータを容易に読み出して確認することが可能となる。
【０００９】
また、本発明は、前記構成に新たに、随時日時を刻時し、随時日時データを取得可能とした日時管理手段と前記時管理手段によって取得される日時データとともに、前記上書き処理した変更データ及び前記アドレスを前記履歴データ記憶部に蓄積する前記第２のデータ蓄積手段を設ければ、変更日時を含めてデータ変更処理に関係したデータを蓄積するので、より詳細に変更データの変更履歴状況を把握でき、以降のデータ変更時に有効に活用できる。
【００１０】
（２）  さらに、本発明は、前記（１）の構成に新たに、少なくとも前記運行制御データ記憶部に上書きされた変更データを用いてエレベータの運転動作を行ったときに動作異常を確認した場合、前記履歴データ記憶部に蓄積されるデータ変更処理に関係する全データをデータ表示部に表示する表示制御手段を設ければ、変更データを用いてエレベータの運転動作を行ったときに動作異常と確認された場合、履歴データ記憶部に蓄積されるデータ変更処理に関係する全データをデータ表示部に表示することにより、迅速に変更内容を確認することができる。また、万が一指定アドレスに誤りがあるか、変更データに設定ミスがあるか、調整不足である場合でも、元々入っていたアドレス及びデータを確認できるので、この元アドレス及び元データをベースとし、新たなデータ修正のもとにエレベータの運転動作状態の調整作業を実施でき、ひいては、迅速に運転動作状態の調整作業を進めることが可能となる。
【００１１】
また、前記運行制御データ記憶部に上書きされた変更データを用いてエレベータの運転動作を行ったときに動作異常を確認した場合、入力操作手段の修正指示に従い、運行制御データ記憶部に上書きされた変更データを前記履歴データ記憶部に蓄積される元データに戻すことが可能であるので、例えばアドレスを間違った場合には当該元データを容易に復元させることができる。
【発明の効果】
【００１２】
本発明によれば、新データによる変更後でも新データと共に元データを蓄積しているので、必要なときに元データを容易に確認でき、迅速にエレベータの最適な運転動作状態の運行制御用データを確保できるエレベータ制御装置を提供できる。
【発明を実施するための最良の形態】
【００１３】
以下、本発明の実施の形態について図面を参照して説明する。
【００１４】
図１は本発明に係るエレベータ制御装置の一実施の形態を示す構成図である。  
エレベータ制御装置は、乗場呼び操作やかご呼び操作による呼び登録に基づいてエレベータの乗りかごを運行制御する従来の一般的な運行制御部１と本発明の特徴部分である運行制御データ設定部２とで構成されている。
【００１５】
運行制御データ設定部２は、キーボード、ポインティングデバイス、その他赤外線などの光媒体を用いて、変更しようとする速度パターン，パラメータなどのデータを入力する入力操作手段としての入力操作部１１と、ＨＤＤやＲＡＭなどからなるデータ記憶装置１２と、所定のデータ変更処理を実行するＣＰＵからなるデータ変更処理部１３と、所要のデータを表示するＣＲＴや液晶ディスプレイなどからなるデータ表示部１４とが設けられている。
【００１６】
データ記憶装置１２は、エレベータの運行制御に使用するデータを記憶する運行制御データ記憶部１２ａと変更履歴データを記憶する履歴データ記憶部１２ｂとを有する。
【００１７】
データ変更処理部１３は、機能的には、データ変更時にアドレス指定のもとに運行制御データ記憶部１２ａの該当アドレスの元データを前記指定アドレスとともに履歴データ記憶部１２ｂに記憶する変更前データ蓄積手段１３１と、運行制御データ記憶部１２ａの該当アドレスの元データに変更データを上書き処理する上書き処理手段１３２と、運行制御データ記憶部１２ａの該当アドレスと変更データとを履歴データ記憶部１２ｂに記憶する履歴データ蓄積手段１３３と、表示制御手段１３４とを備えている。
【００１８】
次に、以上のように構成された装置の動作について説明する。  
今、作業員が運行制御データ記憶部１２ａのアドレス「０００１」に記憶される元データ「ＡＡ１０」を変更しようとする場合、入力操作部１１からアドレス「０００１」指定のもとにデータ変更制御信号を入力する。データ変更処理部１３の変更前データ蓄積手段１３１は、入力操作部１１から指定アドレス「０００１」のもとにデータ変更制御信号を受けた場合、運行制御用データ記憶部１２ａの該当アドレス「０００１」に元々記憶されている元データ「ＡＡ１０」を読み出し、アドレス「０００１」とともに履歴データ記憶部１２ｂに記憶する。
【００１９】
その後、作業員は入力操作部１１から変更データ「ＡＡ１１」を入力すると、データ変更処理部１３の上書き処理手段１３２は、当該変更データ「ＡＡ１１」を用いて、運行制御用データ記憶部１２ａの該当アドレス「０００１」に対応する元データ「ＡＡ１０」に上書き処理する。しかる後、履歴データ蓄積手段１３３は、該当アドレス「０００１」と上書き処理した変更データ「ＡＡ１１」とを履歴データとし、履歴データ記憶部１２ｂに保存する。
【００２０】
以上のようにして変更データを設定した後、表示制御手段１３４を実行するか、或いは操作入力部１１から起動指示制御信号をエレベータ運行制御部１に送出する。表示制御手段１３４は、履歴データ記憶部１２ｂから各アドレス「０００１」と各データ「ＡＡ１０」及び変更データ「ＡＡ１１」とを読出してデータ表示部１４に表示するため、運行制御データが確実に変更データ「ＡＡ１１」に変更されたか、また履歴データとして確実に蓄積されたか否かを確認できる。なお、変更データを設定した後、データ変更処理部１３から自動的に起動指示制御信号を出力するようにしてもよい。
【００２１】
一方、運行制御部１は、図２に示すような起動指示制御信号を受け取ると（Ｓ１）、運行制御データ記憶部１２ａの所定アドレスから変更データを取り出した後（Ｓ２）、変更データに基づいて特定階床への加速走行、定速走行及び減速走行を行い、エレベータの運転動作状態を確認する（Ｓ３）。この運転動作状態の確認は、エレベータシステムの適宜な個所に必要とする測定器を接続し、例えば運転動作波形（例えば乗心地に関する波形、振動等）を測定することにより行われる（Ｓ３）。例えばエレベータの乗りかごに加速度センサを設置し、かご振動を検出するとか、例えば巻上機を駆動制御するインバータの出力波形を観察するとか、巻上機の回転軸に回転検出器を設置し、回転速度波形を観察するとか、種々の運転動作状態の確認方法が挙げられる。
【００２２】
この運転動作波形等からデータ設定ミス及び調整不足による動作異常発生と判断されたとき（Ｓ４）、運行制御データ設定部２の入力操作部１１からアドレスを指定し、履歴データ記憶部１２ｂに格納されている変更データ「ＡＡ１１」を削除するとともに、当該履歴データ記憶部１２ｂに記憶される元データ「ＡＡ１０」を用い、運行制御データ記憶部１２ａの所定アドレスから変更データ「ＡＡ１１」に例えば上書き処理することにより、元データ「ＡＡ１０」に戻す処理を実施する（Ｓ５）。なお、動作異常発生時、履歴データ記憶部１２ｂから変更データ「ＡＡ１１」を削除するのではなく、履歴データ記憶部１２ｂにそのまま保存しておいてもよい。
【００２３】
また、運行制御データ設定部２は、図３に示すように運転動作波形等からデータ設定ミスによる動作異常の発生と判断されたとき（Ｓ４）、表示制御手段１３４を実行し、履歴データ記憶部１２ｂに格納されている各アドレス「０００１」と当該各アドレス「０００１」に対応する元データ「ＡＡ１０」及び変更データ「ＡＡ１１」とを読出し、表示部１４に表示する（Ｓ６）。これにより、アドレスに誤りがあるか、アドレスに誤りがないが変更データに設定ミスがあるか、さらには調整不足かを確認した後、これら確認結果に基づいて入力操作部１１から新たなデータを入力し、アドレスまたは変更データを修正し（Ｓ７）、再度調整運行制御を実施する（Ｓ８）。
【００２４】
従って、以上のような実施の形態によれば、運行制御用データを変更する際、変更前データ蓄積手段１３１では、指定アドレスのもとに運行制御データ記憶部１２ａから元データを取り出して指定アドレスとともに履歴データ記憶部１２ｂに一旦記憶した後、入力操作部１１から変更データを入力し、運行制御データ記憶部１２ａの該当アドレスの元データに上書き処理する。さらに、この上書き処理の後、上書き処理した運行制御データ記憶部１２ａの該当アドレスと変更データを履歴データ記憶部１２ｂに記憶するので、例えば運転動作の異常時に履歴データ記憶部１２ｂに記憶されている変更前及び変更後のデータを読み出してデータ表示部１４に表示すれば、迅速に変更内容を確認することができる。しかも、万が一指定アドレスに誤りがあるか、変更データに設定ミスがあるか、調整不足である場合でも、元々用いられていたアドレス及びデータを確認できるので、この元アドレス及び元データをベースとし、新たなデータ修正のもとにエレベータの運転動作状態の調整作業を実施できる。よって、運転動作状態の調整作業を迅速に進めることができる。
【００２５】
なお、運転動作状態の調整作業完了後、履歴データ記憶部１２ｂに記憶されるデータをそのまま履歴データとして蓄積しているので、定期的な点検・保守時にどのような経緯でデータが変更されているかを容易に確認でき、今回データ変更時のデータ調整の目安ないし方向性を与えてくれる。
【００２６】
図４は本発明に係るエレベータ制御装置の他の実施形態を示す構成図である。なお、同図において、図１と同一部分には同一符号を付し、その詳しい説明は省略する。  
この実施の形態では、データ変更処理部１３に新たに日時を刻時し、かつ随時時刻データを取得可能とする日時管理手段１３５を設け、入力操作部１１の入力操作によって運行制御データ記憶部１２ｂの元データを新データに変更する際、その変更日時データを履歴データ記憶部１２ｂに格納する構成である。
【００２７】
すなわち、実施の形態においては、作業員が運行制御データ記憶部１２ａのアドレス「０００１」に記憶される元データ「ＡＡ１０」を変更しようとする場合、入力操作部１１からアドレス「０００１」指定のもとにデータ変更制御信号を入力する。データ変更処理部１３の変更前データ記憶手段１３１は、入力操作部１１から指定アドレス「０００１」のもとにデータ変更制御信号を受けた場合、運行制御用データ記憶部１２ａの該当アドレス「０００１」に元々記憶されている元データ「ＡＡ１０」を読み出し、指定アドレス「０００１」とともに履歴データ記憶部１２ｂに記憶する。
【００２８】
その後、作業員は入力操作部１１から変更データ「ＡＡ１１」を入力すると、データ変更処理部１３の上書き処理手段１３２は、当該変更データ「ＡＡ１１」を用いて、運行制御用データ記憶部１２ａの該当アドレス「０００１」に対応する元データ「ＡＡ１０」に上書き処理する。しかる後、履歴データ蓄積手段１３３は、日時管理手段１３５によって管理される日時データを取り出し、該当アドレス「０００１」及び上書き処理した変更データ「ＡＡ１１」とともに履歴データ記憶部１２ｂに保存する。
【００２９】
従って、履歴データ記憶部１２ｂには、データ変更するアドレスと変更前の元データと変更した新データとデータを変更した際の日時データとが履歴データとして蓄積される。よって、表示制御手段１３４は、必要に応じて、履歴データ記憶部１２ｂから必要なデータを読み出してデータ表示部１４に表示すれば、変更前・変更後のデータだけでなく、変更した日時も容易に確認することが可能となる。
【００３０】
さらに、エレベータ制御装置の運行制御部１は、データ変更後にデータ変更処理部１３または入力操作部１１から起動指示制御信号を受けた場合、図５に示すように変更データを用いて、エレベータの運転動作を実施する。すなわち、図２、図３に示すステップＳ１〜Ｓ３と同様の処理を行った後、運転動作波形等からデータ設定ミスや調整不足による動作異常発生と判断されたとき（Ｓ４）、表示制御手段１３４を実行する。つまり、表示制御手段１３４は、履歴データ記憶部１２ｂに格納されているアドレス「０００１」、当該各アドレス「０００１」に対応する元データ「ＡＡ１０」及び変更データ「ＡＡ１１」の他、変更日時データを読出し、表示部１４に表示する（Ｓ１１）。これにより、アドレスに誤りがあるか、アドレスに誤りがないが変更データに設定ミスがあるか、さらには調整不足かを確認した後、これら確認結果に基づいて入力操作部１１から新たなデータを入力し、アドレスまたは変更データを修正し（Ｓ１２）、再度調整運行制御を実施する（Ｓ１３）。
【００３１】
従って、この実施の形態によれば、変更した日時データとともにアドレス、変更前データ及び変更データを履歴データとして管理するので、図１と同様の効果を奏する他、より詳細に変更データの変更履歴を把握できる。また、各定期点検日時とその後の稼動期間とデータの変更状況を容易に把握でき、以降のデータ変更時に変更状況を調べつつ調整作業に有効に生かすことができる。
【００３２】
なお、本発明は、上記実施の形態に限定されるものでなく、その要旨を逸脱しない範囲で種々変形して実施できる。例えば上記実施の形態では、変更履歴管理データの１つとして、日時データを用いたが、これには曜日データを含めることができる。その他、データ変更者の名前やＩＤなどを蓄積してもよい。
【００３３】
また、各実施の形態は組み合わせて実施することが可能であり、その場合には組み合わせによる効果が得られる。
【図面の簡単な説明】
【００３４】
【図１】本発明に係るエレベータ制御装置の一実施の形態を示す構成図。
【図２】図１に示す装置を用いてデータ変更した後のエレベータの運転動作を確認するための処理手順を説明する図。
【図３】図１に示す装置を用いてデータ変更した後のエレベータの運転動作を確認するための別の処理手順を説明する図。
【図４】本発明に係るエレベータ制御装置の他の実施形態を示す構成図。
【図５】図４に示す装置を用いてデータ変更した後のエレベータの運転動作を確認するための処理手順を説明する図。
【符号の説明】
【００３５】
１…エレベータ運行制御部、２…運行制御データ設定部、１１…入力操作部、１２…入力操作部、１２ａ…運行制御データ記憶部、１２ｂ…履歴データ記憶部、１３…データ変更処理部、１３１…変更データ蓄積手段、１３２…上書き処理手段、１３３…履歴データ蓄積手段、１３４…表示制御手段、１３４…日時管理手段。
【図１】
2007022690.tif 000003
【図２】
2007022690.tif 000004
【図３】
2007022690.tif 000005
【図４】
2007022690.tif 000006
【図５】
2007022690.tif 000007